(57)【要約】      （修正有）【課題】生コン車が生コンを荷卸した後，荷卸し口羽根の裏側へ付着した生コンを駐車しないで洗浄する方法を提供する。【解決手段】回転する荷卸口羽根４１に接触しない個所を通るシャワーベースステー４とシャワー角度調整ステー５を考案し、羽根裏洗浄シャワー１と羽根表洗浄シャワー２を組み合わせ、噴射角度を調整して羽根の裏側と表側を同時に短時間で洗浄を可能にする。【選択図】図３
0003104602.tif 000002
【実用新案登録請求の範囲】
【請求項１】
生コン車の荷卸口の回転する羽根の裏表を短時間で洗浄する装置で、その取り付け場所を回転する羽根に接触しないで、噴射角度を最適位置に調整可能な取付装置を考案した。この装置を用いて羽根の裏側を洗浄するシャワーと表側を洗浄するシャワーをを同時に噴射することにより羽根の両面を短時間で洗浄することが可能な生コン車の荷卸口羽根裏表同時洗浄装置。
【請求項２】
生コン車の卸口羽根裏表洗浄装置へ水を供給する為の送水ポンプの起動と噴射時間を送水ポンプの電動制御により起動スイッチを押すことにより自動的に洗浄を開始し指定時間に停止及び再起動を可能にする制御装置を洗浄装置の手元と生コン車の運転席の両方で操作できるようにした送水ポンプ制御装置。
【考案の詳細な説明】
【技術分野】
【０００１】  荷卸した生コン車の荷卸口羽根の裏表に付着した生コンを荷卸し現場内で短時間に、かつ自動的に洗浄し所要時間完了後自動停止する装置を用い洗浄作業を公道上まで持ち出さない装置。
【背景技術】
【０００２】  従来、荷卸し後の生コン車の卸し口の羽根の洗浄は、ハンドシャワーにより手洗いで洗浄していた。【０００３】  洗浄場所が現場内で出来るときは現場内で、現場内に洗浄場所がない場合は道路上で停車して洗浄作業を行っていた。
【考案の開示】
【考案が解決しようとする課題】
【０００４】  生コン車は積荷を荷卸した後、荷卸口の羽根に生コンを付着したまま３０分以上放置すると生コンの硬化特性によりコンクリートが固着し、何回か繰り返すと固着物が堆積し、卸し口を閉塞し生コン車自体が使用不能になる。このため従来荷卸し直後、直ちに卸し口の羽根を運転者が手洗いで洗浄していた。その作業を現場内で洗浄場所の確保が出来るところは可能だが、洗浄場所が確保できない現場は道路上で一時停車して洗浄するため、運転者にとっても交通の危険に晒されながらの高所作業であると共に、道路端に一時停車して行う為、市街地においては道路混雑もしくは交通事故の原因にもなりかねない問題を有している。
【課題を解決するための手段】
【０００５】  荷卸しを終った生コン車が荷卸し後、必ずしなければならない作業に、荷卸し口羽根の裏表を洗浄する作業がありますが、この作業を自動的に洗浄する自動洗浄装置を考案し、この装置の利用により、手洗い作業を不要にした。この装置は図３に示す回転する荷卸口羽根４１に接触しない個所を通るシャワーベースステー４とシャワー角度調整ステー５を考案し、羽根裏洗浄シャワー１と羽根表洗浄シャワー２を組み合わせ、噴射角度を調整して羽根の裏側と表側を同時に短時間で洗浄を可能にする装置を考案した。この装置の利用により洗浄作業は現場内で完了するので、同作業を一般公道上まで持ち出さない。【０００６】  羽根裏洗浄シャワー１と羽根表洗浄シャワー２は既設の送水ポンプにホースで接続する事により、図１に示す送水ポンプの運転スイッチ１５を入れれば各シャワーより勢いよく水が噴射し、羽根の裏側および表側を同時に洗浄し、約１分間で洗浄を完了する。【０００７】  洗浄を完了したら水ポンプのスイッチを切る必要があるので、切り忘れ防止、緊急停止等の為に、図１に示す制御装置を考案し、手元スイッチボックス１０と運転席タイマースイッチボックス２０により遠隔での操作を可能にした【０００８】  この装置を有効に利用することにより，生コン車は荷卸し後、図２に示す荷卸シュート４２を格納したら、直ちに図１に示す手元スイッチボックス１０の運転スイッチ１５を入れれば、運転者は荷卸シュート４２だけを手洗いして、運転席につき安全確認をしてスタートするだけで現場から道路上に出る頃には洗浄が完了します。【０００９】  従って課題の現場内での長時間洗車や道路上で停車しての洗車並びに運転者の高所危険作業を不要にすることができます。
【考案の効果】
【００１０】  生コン車の荷卸し現場はおおむね、１台のポンプ車に生コン車を１台づつ連続して荷卸しする為，生コン車の入れ替え時間を短時間で行う要求が需要者からあります。従って荷卸した車両は直ちに次の車両と入れ替える必要があり、荷卸しが終了した生コン車は洗浄の為、洗車指定場所へ移動し洗浄作業を行います。しかしすべての現場に洗浄場所があるわけではなく、特に市街地などの現場ではおおにして現場内に洗車場所が確保出来ない所が多くあり、生コン車はやむおえず道路上に退出し路上洗車をする事になります。【００１１】  このような場合請求項１の考案に於いては図２の荷卸シュート４２を格納した直後に図１に示す手元スイッチボックス１０の運転スイッチ１５を入るだけで、運転者は荷卸シュート４２の手洗いと出発の為の安全確認をしている僅かな時間で自動洗浄を実行し、生コン車を現場から退出させる頃には、洗浄が完了します。【００１２】  また請求項２の制御装置１０および２０の考案に於いては、羽根洗浄への運転者の気づかいを不要にし、止め忘れによる、洗浄汚水の飛散を防止し、公道上で他車への汚水飛散事故などを防止する効果が得られます。【００１３】  図３に示すの本体装置の取付個所に於いては、回転する羽根の僅かな空隙を通して，洗浄最適位置に洗浄シャワー１および２が到達するシャワーベースステー４およびシャワー角度調整ステー５を考案した事により、手洗いよりもきれいに洗えることと回転する羽根に手を巻込まれる危険性からも開放される効果が得られた。
【考案を実施するための最良の形態】
【００１４】  子の自動洗浄装置は、図２に示す生コン車４０に図１または図５の本体装置と図１の手元スイッチボックス１０および運転席タイマースイッチボックス２０からなりいずれも既設の送水ポンプに配管と配線により接続して作動させます。【００１５】  本体装置の取付け角度は図１に示すステー角度調整ボルト７とシャワー角度調整ボルト８の調節により最適角度に調整します。最適角度は試運転しながら最も短時間で洗える角度に調整して各調整ボルト７および８を締付け固定します。【００１６】  図１の運転席タイマースイッチボックス２０のタイマー設定時間は当初１分間にセットします。試運転しながら洗浄の出来る最短時間に調整します。【００１７】  洗浄に長時間かかるような場合、送水ポンプの能力不足が考えられますので、送水ポンプの能力を増大させるとか、羽根裏洗浄シャワー１および羽根表洗浄シャワー２の噴射口の数を減少させるなどの改造を施します。
【実施例】
【００１８】  実稼動中の生コン車へ考案した装置を取付け、洗浄効果とタイマー作動状態の確認および作業工程の改善効果が得られた。
【産業上の利用の可能性】
【００１９】  現在稼動中の生コン車は１０トン車だけでも全国におよそ２万台稼動しており、その殆んどが今回実施例で用いた生コン車と同様の形態なので、殆どの生コン車が利用可能です。この考案の装置を取付ける事で荷卸し後の手作業による洗浄が不要になるので、帰路に要する時間が短縮されます。
【００２０】  生コン車の１回の運行時間は生コンが時間と共に硬化する特性がある為、最大９０分と日本工業規格ＪＩＳＡ５３０８により規定されており、おのずと運搬距離が制限されおりますのでそれを越えた長時間運行する事は出来ません．従って殆どの生コン車は１回の運行に要する平均時間はおよそ４０〜５０分が実状です。
従来はこれに手洗いの時間が約１０分間要しておりましたので帰路平均運行時間は約５０分から６０分でした。
【００２１】  この考案の装置を利用することにより手洗いの作業の１０分間は不要になります。従って帰路運行時間が５０分ないし６０分を要していたものが４０分ないし５０分に短縮できる為、帰路運転時間はおおよそ２０％程度の効率アップになります。
【図面の簡単な説明】
【００２２】
【図１】  上図が本体装置で下図が制御装置です。この考案の実施の一形態例に係る生コン車荷卸し口羽根裏表自動洗浄装置の本体装置および送水ポンプ制御装置の構成を示す斜視図です。
【図２】  取付個所の図で、本体装置と制御装置を生コン車への取付個所を示す斜視図です。
【図３】  取付個所部分拡大図で、本体装置を生コン車への取付個所を示す図２の部分拡大背面図です。
【図４】  電気回路図で、送水ポンプ制御装置の電気回路図です。
【図５】  調整ステー２枚型本体装置の図で、形状の異なる生コン車への対応用に調整ステーを２枚用いた本体装置の斜視図です。
【符号の説明】
【００２３】１    羽根裏洗浄シャワー
２    羽根表洗浄シャワー
３    曲がりパイプ
４    シャワーベースステー
５    シャワー調整ステー
６    ベースステー固定ボルト
７    ステー角度調整ボルト
８    シャワー角度調整ボルト
１０  手元スイッチボックス
１１  手動止自動の切替スイッチ
１２  手動
１３  止
１４  自動
１５  運転スイッチ
１６  停止スイッチ
２０  運転席タイマースイッチボックス
２１  タイマー
２２  停止スイッチ
２３  運転スイッチ
３０  ２芯電線
３１  ３芯電線
３３  送水ポンプ電源ボックス
４０  生コン車
４１  回転する羽根
４２  荷卸シユート
５０  送水ポンプ電源ボックスから２４ボルト電源
５１  切替スイッチの手動接点
５２  切替スイッチの自動接点
５３  手動へ
５４  停止スイッチ
５５  停止スイッチ
５６  運転スイッチ
５７  運転スイッチ
５８  ＣＲ１リレー接点
５９  タイマーリレー接点
６０  ＣＲ２リレー接点
６１  ＣＲ１リレー
６２  タイマー
６３  表示灯
６４  ＣＲ２リレー
６５  ボデーアース
６６  送水ポンプモーターへ
【図１】
0003104602.tif 000003
【図２】
0003104602.tif 000004
【図３】
0003104602.tif 000005
【図４】
0003104602.tif 000006
【図５】
0003104602.tif 000007
【手続補正書】
【提出日】平成16年4月21日(2004.4.21)
【手続補正１】
【補正対象書類名】実用新案登録請求の範囲
【補正対象項目名】請求項１
【補正方法】変更
【補正の内容】
【請求項１】
生コン車の荷卸口の回転する羽根の裏表に向けた、羽根裏洗浄シャワーと羽根表洗浄シャワーを、シャワー調整ステーおよびシャワーベースステーに、シャワー角度調整ボルトとステー角度調整ボルトにて組み付け、さらにベースステー固定ボルトにより生コン車に固定して、２個のシャワーを最適位置で同時に噴射することにより羽根の両面を短時間で洗浄することを可能にした生コン車の卸口羽根裏表同時洗浄装置。